(57)【要約】【課題】一段と操作性を向上させることができるようにする。【解決手段】ユーザ操作がモチカーソル表示領域ＭＲ内を起点とする操作であると判別した際は、ユーザ操作に応じて、地図画面２０に表示させている地図情報の詳細度を変更させつつ地図情報をスクロールさせ、ユーザ操作がモチカーソル表示領域ＭＲ外を起点とする操作であると判別した際は、ユーザ操作に応じて、地図情報の詳細度の変更又は地図情報のスクロールのいずれかを行うことにより、操作の起点を変えるという簡易な操作をユーザに行わせるだけで、地図情報の詳細度の変更と地図情報のスクロールとを同時に行うか又は別々に行うかを選択して行うことができ、かくして一段と操作性を向上させることができる。【選択図】図６
2010266961.tif 000002
【特許請求の範囲】
【請求項１】
表示部の表示画面に対するユーザ操作を認識する操作認識部と、
上記操作認識部により認識された上記ユーザ操作が上記表示画面の所定領域内を起点とする操作であるかどうかを判別する判別部と、
上記判別部により上記ユーザ操作が上記所定領域内を起点とする操作であると判別された際は、上記ユーザ操作に応じて、上記表示画面に表示させている情報の詳細度を変更させつつ当該情報をスクロールさせ、上記判別部により上記ユーザ操作が上記所定領域内を起点とする操作ではないと判別された際は、上記ユーザ操作に応じて、当該情報の詳細度の変更又は当該情報のスクロールのいずれかを行う制御部と
を具える情報処理装置。
【請求項２】
上記制御部は、
上記表示画面に上記所定領域を示す枠を表示させる
請求項１に記載の情報処理装置。
【請求項３】
上記操作認識部は、
上記表示画面に対応する操作面に対する指示物の近接及び接触を検出し、検出の結果に基づいて、上記ユーザ操作を認識し、
上記制御部は、
上記操作認識部により上記指示物の近接が検出されると、上記表示画面に上記所定領域を示す枠を表示させる
請求項２に記載の情報処理装置。
【請求項４】
上記制御部は、
上記判別部により上記ユーザ操作が上記所定領域内を起点とする操作であると判別された際は、上記ユーザ操作に応じて、上記表示画面に表示させている地図情報の縮尺を変更させつつ当該地図情報をスクロールさせ、上記判別部により上記ユーザ操作が上記所定領域内を起点とする操作ではないと判別された際は、上記ユーザ操作に応じて、当該地図情報の縮尺の変更又は当該地図情報のスクロールのいずれかを行う
請求項１に記載の情報処理装置。
【請求項５】
上記表示画面に表示させている情報とは、階層的に詳細度が異なるように管理された、コンテンツに関連するコンテンツ関連情報であり、
上記制御部は、
上記判別部により上記ユーザ操作が上記所定領域内を起点とする操作であると判別された際は、上記ユーザ操作に応じて、上記コンテンツ関連情報を現在よりも上位の階層又は下位の階層へ切り替えると共に当該コンテンツ関連情報をスクロールさせ、上記判別部により上記ユーザ操作が上記所定領域内を起点とする操作ではないと判別された際は、上記ユーザ操作に応じて、現在よりも上位の階層のコンテンツ関連情報への切り替え又は現在よりも下位の階層のコンテンツ関連情報への切り替え又は上記コンテンツ関連情報のスクロールのいずれかを行う
請求項１に記載の情報処理装置。
【請求項６】
上記制御部は、
上記判別部により上記ユーザ操作が上記所定領域内を起点とする操作であると判別された際は、上記ユーザ操作に応じて、上記表示画面に表示させている画像の拡大率を変更させつつ当該画像をスクロールさせ、上記判別部により上記ユーザ操作が上記所定領域内を起点とする操作ではないと判別された際は、上記ユーザ操作に応じて、当該画像の拡大率の変更又は当該画像のスクロールのいずれかを行う
請求項１に記載の情報処理装置。
【請求項７】
上記制御部は、
上記判別部により上記ユーザ操作が上記所定領域内を起点とする操作であると判別された際は、上記ユーザ操作に応じて、上記表示画面に表示させている画像を現在よりも詳細度の高い画像又は詳細度の低い画像へ切り替えると共に当該画像をスクロールさせ、上記判別部により上記ユーザ操作が上記所定領域内を起点とする操作ではないと判別された際は、上記ユーザ操作に応じて、現在よりも詳細度の高い画像への切り替え又は現在よりも詳細度の低い画像への切り替え又は当該画像のスクロールのいずれかを行う
請求項１に記載の情報処理装置。
【請求項８】
操作認識部が、表示部の表示画面に対するユーザ操作を認識し、
判別部が、上記操作認識部により認識された上記ユーザ操作が上記表示画面の所定領域内を起点とする操作であるかどうかを判別し、
制御部が、上記判別部により上記ユーザ操作が上記所定領域内を起点とする操作であると判別された際は、上記ユーザ操作に応じて、上記表示画面に表示させている情報の詳細度を変更させつつ当該情報をスクロールさせ、上記判別部により上記ユーザ操作が上記所定領域内を起点とする操作ではないと判別された際は、上記ユーザ操作に応じて、当該情報の詳細度の変更又は当該情報のスクロールのいずれかを行う
情報処理方法。
【請求項９】
コンピュータに、
操作認識部が、表示部の表示画面に対するユーザ操作を認識するステップと、
判別部が、上記操作認識部により認識された上記ユーザ操作が上記表示画面の所定領域内を起点とする操作であるかどうかを判別するステップと、
制御部が、上記判別部により上記ユーザ操作が上記所定領域内を起点とする操作であると判別された際は、上記ユーザ操作に応じて、上記表示画面に表示させている情報の詳細度を変更させつつ当該情報をスクロールさせ、上記判別部により上記ユーザ操作が上記所定領域内を起点とする操作ではないと判別された際は、上記ユーザ操作に応じて、当該情報の詳細度の変更又は当該情報のスクロールのいずれかを行うステップと
を実行させるための情報処理プログラム。
【発明の詳細な説明】
【技術分野】
【０００１】
本発明は、情報処理装置、情報処理方法及び情報処理プログラムに関し、例えば表示画面に情報を表示させる際に適用して好適なものである。
【背景技術】
【０００２】
従来、情報処理装置は、ユーザ操作に応じて、表示部の表示画面に表示させている画像を拡大又は縮小させるズームや当該画像のスクロールを行うようになされている。
【０００３】
このような情報処理装置は、ユーザにより例えば表示画面に対するタッチ操作が行われると、当該タッチ操作に応じて画像のズームを行うようになされている。またこのような情報処理装置は、ユーザにより例えばユーザの指を表示画面にタッチさせたまま移動させる操作（以下、これをドラッグ操作とも呼ぶ）が行われると、当該ドラッグ操作に応じて画像のスクロールを行うようになされている。
【０００４】
ところで、例えばユーザが地図などの大きな平面を有する画像において所望の位置を探す際など、画像のズーム及びスクロールを同時に行った方が所望の位置を探しやすくユーザにとって便利である場合が考えられる。
【０００５】
そこで、ユーザにドラッグ操作を行わせるだけで、画像のスクロールだけでなく、画像のズームも同時に行うことのできる情報処理装置が提案されている（例えば、非特許文献１及び２参照）。この情報処理装置では、ドラッグ操作の移動速度に応じて画像のズームを行いつつ、ドラッグ操作の移動距離、移動方向などに応じて画像のスクロールを行うようになされている。
【先行技術文献】
【非特許文献】
【０００６】
【非特許文献１】五十嵐健夫、KenHinckley、「移動速度に応じた自動ズーミングによる効率的ナビゲーション」、［Online］、2000年12月、インタラクティブシステムとソフトウェアに関するワークショップVIII  日本ソフトウェア科学会、［2009年3月10日検索］、インターネット<URL:http://www-ui.is.s.u-tokyo.ac.jp/~takeo/papers/wiss2000.pdf>
【０００７】
【非特許文献２】TakeoIgarashi、Ken Hinckley、「Speed-dependent automatic zooming for browsing largedocuments」、［Online］、November 5-8,2000、13th Annual Symposium on User InterfaceSoftware and Technology、［2009年3月10日検索］、インターネット<URL:http://www-ui.is.s.u-tokyo.ac.jp/~takeo/papers/uist2000.pdf>
【発明の概要】
【発明が解決しようとする課題】
【０００８】
ところで上述した情報処理装置は、ドラッグ操作に応じて画像のズームとスクロールとを同時に行うことができる反面、画像のズームとスクロールとを別々に行うことができなくなってしまっていた。
【０００９】
そこで、ユーザ操作に応じて、画像のズームなど表示画面に表示させる情報の詳細度の変更と当該情報のスクロールとを同時に行うか又は別々に行うかを選択して行うことができれば、情報処理装置の操作性を格段と向上させることができると考えられる。
【００１０】
本発明は以上の点を考慮してなされたもので、一段と操作性を向上し得る情報処理装置、情報処理方法及び情報処理プログラムを提案しようとするものである。
【課題を解決するための手段】
【００１１】
かかる課題を解決するため本発明の情報処理装置においては、表示部の表示画面に対するユーザ操作を認識する操作認識部と、操作認識部により認識されたユーザ操作が表示画面の所定領域内を起点とする操作であるかどうかを判別する判別部と、判別部によりユーザ操作が所定領域内を起点とする操作であると判別された際は、ユーザ操作に応じて、表示画面に表示させている情報の詳細度を変更させつつ当該情報をスクロールさせ、判別部によりユーザ操作が所定領域内を起点とする操作ではないと判別された際は、ユーザ操作に応じて、当該情報の詳細度の変更又は当該情報のスクロールのいずれかを行う制御部とを設けるようにした。
【００１２】
これにより本発明の情報処理装置は、操作の起点を変えるという簡易な操作をユーザに行わせるだけで、表示画面に表示させている情報の詳細度の変更と当該情報のスクロールとを同時に行うか又は別々に行うかを選択して行うことができる。
【発明の効果】
【００１３】
本発明によれば、操作の起点を変えるという簡易な操作をユーザに行わせるだけで、表示画面に表示させている情報の詳細度の変更と当該情報のスクロールとを同時に行うか又は別々に行うかを選択して行うことができる。かくして、一段と操作性を向上し得る情報処理装置、情報処理方法及び情報処理プログラムを実現することができる。
【図面の簡単な説明】
【００１４】
【図１】本発明の第１及び第２の実施の形態における情報処理装置の構成を示す略線図である。
【図２】本発明の第１の実施の形態における地図情報の詳細度の変更の説明に供する略線図である。
【図３】本発明の第１の実施の形態における地図画面（１）の構成を示す略線図である。
【図４】本発明の第１の実施の形態における地図情報変更操作の説明に供する略線図である。
【図５】本発明の第１の実施の形態における地図画面（２）の構成を示す略線図である。
【図６】本発明の第１の実施の形態における地図情報変更操作処理手順を示すフローチャートである。
【図７】本発明の第１乃至第３の実施の形態における情報処理装置の機能構成を示すブロック図である。
【図８】本発明の第２の実施の形態におけるモチカーソル表示処理手順を示すフローチャートである。
【図９】本発明の第３の実施の形態における情報処理装置の構成を示す略線図である。
【図１０】本発明の第３の実施の形態における楽曲関連情報のフォルダ構造の説明に供する略線図である。
【図１１】本発明の第３の実施の形態における楽曲関連情報の詳細度の変更の説明に供する略線図である。
【図１２】本発明の第３の実施の形態における楽曲選択画面の構成を示す略線図である。
【図１３】本発明の第３の実施の形態における楽曲関連情報変更操作処理手順を示すフローチャートである。
【図１４】本発明の他の実施の形態における画像閲覧画面の構成を示す略線図である。
【発明を実施するための形態】
【００１５】
以下、発明を実施するための最良の形態（以下実施の形態とする）について説明する。なお、説明は以下の順序で行う。
１．第１の実施の形態
２．第２の実施の形態
３．第３の実施の形態
４．他の実施の形態
【００１６】
＜１．第１の実施の形態＞
［１−１．情報処理装置の全体構成］
まず、第１の実施の形態について説明する。図１において、１は全体として情報処理装置を示す。この情報処理装置１は携帯型であり、図１（Ａ）に示すように片手で把持し得る程度の大きさ（いわゆる手の平サイズ）でなる扁平矩形状の筐体２を有する。
【００１７】
この筐体２の表面には、長方形板状の表示部３が設けられている。表示部３は、ＬＣＤ(Liquid Crystal Display)３Ａ（図１（Ｂ））の表示面上に、透明なタッチパネル３Ｂ（図１（Ｂ））を張り付けるようにして形成されている。
【００１８】
つづいて、情報処理装置１の各回路部を、図１（Ｂ）を用いて説明する。情報処理装置１では、各回路部がバス１０を介して接続されている。ＣＰＵ１１は、不揮発性メモリ１２に記憶されているプログラムをＲＡＭ（Random Access Memory）１３に読み出す。そしてＣＰＵ１１は、読み出したプログラムをＲＡＭ１３上で展開し、この展開したプログラムに従って各回路部を制御すると共に、各種処理を実行するようになされている。
【００１９】
タッチパネル３Ｂは、タッチパネル３Ｂに対してユーザの指がタッチされると、ユーザの指がタッチされた位置（以下、これをタッチ位置とも呼ぶ）をＣＰＵ１１に送出する。因みにここでは、静電容量方式のタッチパネル３Ｂを用いている。
【００２０】
ＣＰＵ１１は、当該タッチ位置をＬＣＤ３Ａに表示させる表示画面内の座標として検出する。そしてＣＰＵ１１は、その検出した座標に命令が対応付けられているかどうかを判別し、命令が対応付けられていると判別した場合にはその命令に応じて各種処理を行うようになされている。
【００２１】
［１−２．地図情報変更操作］
次に、この情報処理装置１での地図情報変更操作について、詳しく説明する。ＣＰＵ１１は、ユーザ操作により地図情報を表示するアプリケーションを起動するよう指示されると、不揮発性メモリ１２から地図情報データを読み出す。そしてＣＰＵ１１は、地図情報データに基づいて、任意の地域の地図情報を表示する地図画面２０（図３）をＬＣＤ３Ａに表示させる。
【００２２】
ＣＰＵ１１は、タッチパネル３Ｂに対するユーザ操作に応じて、地図画面２０に表示させる地図情報をスクロールさせたり、地図情報の縮尺など地図情報の詳細度を変更させたりするようになされている。
【００２３】
まずここで、この地図画面２０における地図情報の詳細度の変更について、図２を用いて説明する。ＣＰＵ１１は、不揮発性メモリ１２から例えば地図画像データを読み出し、これに基づいて地図画面２０に地図情報として地図画像ＰＭを表示させる。
【００２４】
そしてＣＰＵ１１は、ユーザ操作により地図情報の詳細度を上げるよう指示されると、当該操作に応じて、地図情報の縮尺を上げ、当該縮尺に対応した地図画像ＰＭを表示させる。
【００２５】
またＣＰＵ１１は、ユーザ操作に応じて地図情報の縮尺を上げた結果、地図情報の縮尺が所定値となり、さらにユーザ操作により地図情報の詳細度を上げるよう指示されたとする。このときＣＰＵ１１は、不揮発性メモリ１２から地図画面２０に表示させている地図画像ＰＭに対応する航空写真画像データを読み出し、これに基づいて地図画面２０に地図情報として航空写真画像ＰＳを表示させる。
【００２６】
そしてＣＰＵ１１は、ユーザ操作により地図情報の詳細度を上げるよう指示されると、当該操作に応じて、地図情報の縮尺を上げ、当該縮尺に対応した航空写真画像ＰＳを表示させる。
【００２７】
またＣＰＵ１１は、ユーザ操作に応じて地図情報の縮尺を上げた結果、地図情報の縮尺が所定値となり、さらにユーザ操作により地図情報の詳細度を上げるよう指示されたとする。
【００２８】
このときＣＰＵ１１は、施設の構内図やフロアマップなどである詳細地図を有する施設が地図画面２０内に表示されているかどうかを判別する。
【００２９】
具体的に不揮発性メモリ１２には、ビル、駅、娯楽施設などの施設に関する施設情報が地図画像ＰＭ及び航空写真画像ＰＳに対応付けられた状態で記録されている。施設情報には、施設の名称、緯度経度情報、詳細地図データなどが対応付けられている。
【００３０】
ＣＰＵ１１は、地図画面２０に表示させている航空写真画像ＰＳに対応付けられている施設情報の中に詳細地図データが対応付けられている施設情報があった場合、詳細地図を有する施設が地図画面２０内に表示されていると判別する。
【００３１】
そしてＣＰＵ１１は、詳細地図を有する施設が地図画面２０内に表示されていた場合、不揮発性メモリ１２からその施設に対応する詳細地図データを読み出す。そしてＣＰＵ１１は、当該詳細地図データに基づく詳細地図画像ＰＣを地図情報として地図画面２０に表示させる。
【００３２】
このようにＣＰＵ１１は、地図画面２０において地図情報の詳細度を上げるよう指示されると、地図情報の縮尺を上げ、当該縮尺に対応する地図画像ＰＭ又は航空写真画像ＰＳを表示させるようになされている。
【００３３】
またＣＰＵ１１は、地図画面２０において地図情報の詳細度を上げるよう指示されたとき、地図情報の縮尺が所定値であると、表示させる画像を地図画像ＰＭから航空写真画像ＰＳ、又は航空写真画像ＰＳから詳細地図画像ＰＣに切り替えるようになされている。つまりＣＰＵ１１は、地図画面２０に表示させている地図情報としての画像を現在よりも詳細度の高い画像に切り替えるようになされている。
【００３４】
一方ＣＰＵ１１は、地図画面２０において地図情報の詳細度を下げるよう指示されると、地図情報の縮尺を下げ、当該縮尺に対応する地図画像ＰＭ又は航空写真画像ＰＳを表示させるようになされている。
【００３５】
またＣＰＵ１１は、地図画面２０において地図情報の詳細度を下げるよう指示されたとき、地図情報の縮尺が所定値であると、表示させる画像を詳細地図画像ＰＣから航空写真画像ＰＳ、又は航空写真画像ＰＳから地図画像ＰＭに切り替えるようになされている。つまりＣＰＵ１１は、地図画面２０に表示させている地図情報としての画像を現在よりも詳細度の低い画像に切り替えるようになされている。
【００３６】
次に、地図画面２０において、地図情報の詳細度の変更やスクロールに対応するユーザ操作について具体的に説明する。
【００３７】
ＣＰＵ１１は、ユーザ操作により地図情報を表示するアプリケーションを起動するよう指示されると、図３に示す地図画面２０をＬＣＤ３Ａに表示させる。
【００３８】
地図画面２０は、地図画面２０の全体に地図情報を表示させる地図情報表示領域２１と、円形状でなる半透明のカーソル（以下、これをモチカーソルとも呼ぶ）ＭＣを表示させる領域（以下、これをモチカーソル表示領域とも呼ぶ）ＭＲとから構成されている。
【００３９】
モチカーソル表示領域ＭＲは、ＬＣＤ３Ａの表示画面の中央（以下、これを画面中央とも呼ぶ）ＭＰを中心とし例えば人間の指の太さと同じくらいの直径でなる円形状の領域であり、地図情報表示領域２１内に設けられている。ＣＰＵ１１は、モチカーソルＭＣをモチカーソル表示領域ＭＲの全体を覆うようにして表示させる。またＣＰＵ１１は、当該モチカーソルＭＣを地図情報の上に重ねて表示させ、モチカーソルＭＣの下にある地図情報が透けて見えるような状態にする。
【００４０】
ここで図４（Ａ）に示すように、ユーザによりモチカーソル表示領域ＭＲ内の位置を起点とするドラッグ操作が任意の方向（例えば斜め右上方向）に行われたとする。
【００４１】
このときＣＰＵ１１は、タッチパネル３Ｂを介して、ドラッグ操作開始の際のタッチ位置ＴＰがモチカーソル表示領域ＭＲ内であることを認識すると、モチカーソル表示領域ＭＲ内の位置を起点とするドラッグ操作が開始されたことを認識する。尚、このモチカーソル表示領域ＭＲ内の位置を起点とするドラッグ操作のことをモチドラッグ操作とも呼ぶ。
【００４２】
そしてＣＰＵ１１は、ユーザの指の移動、すなわちタッチ位置ＴＰの移動に合わせて、モチカーソルＭＣをモチカーソル表示領域ＭＲからタッチ位置ＴＰまで餅のように伸ばして表示させる。このようにＣＰＵ１１は、モチカーソルＭＣをタッチ位置ＴＰの移動に合わせて伸縮して表示させるようになされている。
【００４３】
またこのときＣＰＵ１１は、地図情報の詳細度を変更させつつ地図情報をスクロールさせるよう指示されたことを認識し、モチドラッグ操作に応じて、地図情報表示領域２１に表示させている地図情報の詳細度を変更しつつ地図情報をスクロールさせる。
【００４４】
具体的にＣＰＵ１１は、画面中央ＭＰに対するタッチ位置ＴＰの方向及びタッチ位置ＴＰの移動速度に応じて、地図情報をスクロールさせる。これと同時にＣＰＵ１１は、画面中央ＭＰからタッチ位置ＴＰまでの距離及びタッチ位置ＴＰの移動速度に応じて、地図情報の詳細度を変更させる。
【００４５】
このときＣＰＵ１１は、画面中央ＭＰからタッチ位置ＴＰまでの距離が大きいほど、またタッチ位置ＴＰの移動速度が速いほど、地図情報の詳細度を下げるようになされている。ユーザの指の移動距離が大きい又は移動速度が速いということは、ユーザが所望する目的地が遠くにあるということであり、この場合、大局的な視点が求められることが考えられる。従ってＣＰＵ１１は、ユーザの指の移動距離が大きいほど又は移動速度が速いほど地図情報の詳細度を下げるため、ユーザに直感的な操作を行わせることができる。
【００４６】
ここでユーザが上述したようにモチドラッグ操作を行った後、タッチパネル３Ｂから指を離したとする。ＣＰＵ１１は、ユーザの指がタッチパネル３Ｂから離されたことを認識すると、モチドラッグ操作が終了したことを認識し、このとき地図画面２０に表示させている地図情報の詳細度及び表示箇所を固定させて表示させる。またＣＰＵ１１は、モチカーソルＭＣの形状を縮めて円形状に戻して表示させる。
【００４７】
またここで、ユーザが上述したようにモチドラッグ操作を行った後、図４（Ｂ）に示すように、指をタッチさせたままモチカーソル表示領域ＭＲ内に向かって指を戻すような操作を引き続き行ったとする。
【００４８】
ＣＰＵ１１は、モチドラッグ操作が開始されると、ユーザの指がタッチパネル３Ｂにタッチされている間はモチドラッグ操作が継続していると認識する。そしてＣＰＵ１１は、タッチ位置ＴＰが画面中央ＭＰに戻されるように近づくにつれ、画面中央ＭＰからタッチ位置ＴＰまでの距離に応じて地図情報の詳細度を上げながら、地図情報をスクロールさせるようになされている。
【００４９】
ところで図４（Ｃ）に示すように、モチカーソル表示領域ＭＲ外の位置を起点とするドラッグ操作（以下これを、通常ドラッグ操作とも呼ぶ）が行われたとする。このときＣＰＵ１１は、地図情報のスクロールのみが指示されたことを認識し、地図情報の詳細度を変更せず、通常ドラッグ操作に応じて地図情報のスクロールのみを行う。
【００５０】
またＣＰＵ１１は、通常ドラッグ操作が開始されたことを認識すると、通常ドラッグ操作の間はモチカーソルＭＣを地図画面２０から消し、モチカーソルＭＣが操作されないようにすると共に地図画面２０全体をユーザに見せるようになされている。
【００５１】
従って例えば図４（Ｄ）に示すように、通常ドラッグ操作のときにモチカーソル表示領域ＭＲにタッチ位置ＴＰが移動しても、ＣＰＵ１１はそのままスクロールのみを続けるようになされている。
【００５２】
また図４（Ｅ）に示すように、モチカーソル表示領域ＭＲ外の位置をタッチされ、所定時間押下され続ける操作（以下、これを長押し操作とも呼ぶ）が行われたとする。このときＣＰＵ１１は、地図情報の詳細度を上げることのみが指示されたことを認識し、地図情報のスクロールを行わずに、長押し操作に応じて地図情報の詳細度を上げる。
【００５３】
一方図４（Ｆ）に示すように、モチカーソル表示領域ＭＲ外の位置をタッチした後すぐ離す操作（以下、これをタップ操作とも呼ぶ）が行われたとする。このときＣＰＵ１１は、地図情報の詳細度を下げることのみが指示されたことを認識し、地図情報のスクロールを行わずに、タップ操作に応じて地図情報の詳細度を下げる。
【００５４】
またＣＰＵ１１は、長押し操作又はタップ操作が開始されたことを認識すると、当該操作の間はモチカーソルＭＣを地図画面２０から消し、モチカーソルＭＣが操作されないようにすると共に地図画面２０全体をユーザに見せるようになされている。
【００５５】
ところでＣＰＵ１１は、ユーザ操作に応じて地図情報の詳細度の変更やスクロールを行うとき、図５に示すように、地図画面２０の左上に、地図情報表示領域２１に表示する地図情報がどの範囲の地域であるかを表示するオーバービュー表示領域２２を設ける。そしてＣＰＵ１１は、オーバービュー表示領域２２に、縮尺の低いオーバービュー用の地図画像ＰＯを表示させると共に、地図情報の表示範囲を示す表示範囲枠ＳＡを表示させる。
【００５６】
ＣＰＵ１１は、ユーザ操作に応じて地図情報の詳細度の変更やスクロールを行い、地図情報表示領域２１に表示させる地図情報の表示範囲が変化すると、その変化に合わせて、表示範囲枠ＳＡを移動させたり、その大きさを変化させたりする。そしてＣＰＵ１１は地図情報の詳細度の変更又は地図情報のスクロールが終了すると、所定時間後（例えば３秒後）にオーバービュー表示領域２２の表示を消す。
【００５７】
このようにＣＰＵ１１は、地図情報表示領域２１に表示させる地図情報の表示範囲をユーザに通知するようになされている。これにより情報処理装置１は、ユーザに所望する地図情報を探しやすくさせることができる。
【００５８】
［１−３．地図情報変更操作処理手順］
次に上述した情報処理装置１における地図情報変更操作での動作処理手順（これを、地図情報変更操作処理手順とも呼ぶ）ＲＴ１を、図６に示すフローチャートを用いて詳しく説明する。ちなみにこの地図情報変更操作処理手順ＲＴ１は、ＣＰＵ１１が不揮発性メモリ１２にインストールされたプログラムに従って実行するものである。
【００５９】
ＣＰＵ１１は、地図画面２０において、タッチパネル３Ｂにユーザの指がタッチされユーザ操作が開始されたことを認識すると、地図情報変更操作処理手順ＲＴ１をステップＳＰ０から開始して、次のステップＳＰ１に移る。
【００６０】
ステップＳＰ１においてＣＰＵ１１は、ユーザ操作の起点がモチカーソル表示領域ＭＲ内であるかどうかを判断する。具体的にＣＰＵ１１は、ユーザ操作開始の際のタッチ位置ＴＰがモチカーソル表示領域ＭＲ内にあることを判別すると、ユーザ操作の起点がモチカーソル表示領域ＭＲ内であると判断する。
【００６１】
このステップＳＰ１において肯定結果が得られると、このことはユーザによりモチドラッグ操作が開始されたことを意味し、このときＣＰＵ１１はステップＳＰ２に移る。
【００６２】
ステップＳＰ２においてＣＰＵ１１は、モチドラッグ操作に応じて地図画面２０に表示させている地図情報の詳細度を変更しつつ地図情報をスクロールさせ、ステップＳＰ８に移って地図情報変更操作処理手順ＲＴ１を終了する。
【００６３】
一方、ユーザ操作の起点がモチカーソル表示領域ＭＲ外であることよりステップＳＰ１において否定結果が得られると、このときＣＰＵ１１は、ステップＳＰ３に移る。
【００６４】
ステップＳＰ３においてＣＰＵ１１は、ユーザによりドラッグ操作が行われたかどうかを判断する。具体的にＣＰＵ１１は、タッチ位置ＴＰが所定距離以上移動したことを判別するとドラッグ操作が行われたと判断する。
【００６５】
このステップＳＰ３において肯定結果が得られると、このことはユーザにより通常ドラッグ操作が行われたことを意味し、このときＣＰＵ１１は、ステップＳＰ４に移る。
【００６６】
ステップＳＰ４においてＣＰＵ１１は、地図画面２０に表示させている地図情報のスクロールのみを行い、ステップＳＰ８に移って地図情報変更操作処理手順ＲＴ１を終了する。
【００６７】
一方、ユーザによりドラッグ操作が行われていないことより、ステップＳＰ３において否定結果が得られると、このときＣＰＵ１１はステップＳＰ５に移る。
【００６８】
ステップＳＰ５においてＣＰＵ１１は、長押し操作が行われたかどうかを判断する。具体的にＣＰＵ１１は、タッチパネル３Ｂに対して指がタッチされた時間が所定時間以上であると判別すると長押し操作が行われたと判断する。
【００６９】
このステップＳＰ５において肯定結果が得られると、このことはユーザによりモチカーソル表示領域ＭＲ外に対する長押し操作が行われたことを意味し、このときＣＰＵ１１はステップＳＰ６に移る。
【００７０】
ステップＳＰ６においてＣＰＵ１１は、地図画面２０に表示させている地図情報の詳細度を上げ、ステップＳＰ８に移って地図情報変更操作処理手順ＲＴ１を終了する。
【００７１】
一方、ステップＳＰ５において否定結果が得られると、このことはユーザによりモチカーソル表示領域ＭＲ外に対するタップ操作が行われたことを意味し、このときＣＰＵ１１はステップＳＰ７に移る。
【００７２】
ステップＳＰ７においてＣＰＵ１１は、地図画面２０に表示させている地図情報の詳細度を下げ、ステップＳＰ８に移って地図情報変更操作処理手順ＲＴ１を終了する。
【００７３】
このような地図情報変更操作処理手順ＲＴ１に従って、ＣＰＵ１１は、ユーザ操作を認識し、当該操作に応じて、地図画面２０に表示させている地図情報の詳細度の変更やスクロールを行うようになされている。
【００７４】
［１−４．第１の実施の形態における動作及び効果］
以上の構成において情報処理装置１は、タッチパネル３Ｂを介してユーザ操作を認識すると、ユーザ操作がモチカーソル表示領域ＭＲ内を起点とする操作であるかどうかを判別する。
【００７５】
そして情報処理装置１は、ユーザ操作がモチカーソル表示領域ＭＲ内の位置を起点とする操作であると判別した際は、当該ユーザ操作に応じて、地図情報の詳細度を変更させつつ地図情報をスクロールさせる。
【００７６】
一方情報処理装置１は、ユーザ操作がモチカーソル表示領域ＭＲ外の位置を起点とするドラッグ操作であると判別した際は、当該ユーザ操作に応じて、地図情報のスクロールのみを行う。
【００７７】
また情報処理装置１は、ユーザ操作がモチカーソル表示領域ＭＲ外の位置に対する長押し操作又はタップ操作であると判別した際は、当該ユーザ操作に応じて、地図情報の詳細度の変更のみを行う。
【００７８】
これにより情報処理装置１は、操作の起点を変えるという簡易な操作をユーザに行わせるだけで、地図情報の詳細度の変更と地図情報のスクロールとを同時に行うか又は別々に行うかを選択して行うことができる。
【００７９】
また情報処理装置１は、地図画面２０にモチカーソル表示領域ＭＲを示すモチカーソルＭＣを表示させるようにした。これにより情報処理装置１は、モチカーソル表示領域ＭＲの位置及び範囲をユーザに認識させることができ、ユーザにモチカーソル表示領域ＭＲ内を起点とする操作とモチカーソル表示領域ＭＲ外を起点とする操作を容易に区別して行わせることができる。
【００８０】
また情報処理装置１は、ユーザ操作により地図情報の詳細度を変更するよう指示されると地図情報の縮尺を変更させ、地図情報の縮尺が所定値である場合には、地図情報として現在よりも詳細度の高い又は詳細度の低い画像へ切り替えるようにした。
【００８１】
これにより情報処理装置１は、ユーザに現在と詳細度の異なる画像へ切り替えるための操作を別途行わせることなく、地図情報の詳細度を変更するための操作を行わせるだけで、自動的に地図情報の縮尺に合わせて様々な詳細度の画像を提供することができる。
【００８２】
また情報処理装置１は、地図画面２０に設けるモチカーソル表示領域ＭＲを、表示画面の中央に設けるようにした。これにより情報処理装置１は、ユーザにモチカーソル表示領域ＭＲを起点とするドラッグ操作を行わせる際、タッチ位置ＴＰの移動範囲を広くとることができ、当該ドラッグ操作の範囲を広くとることができる。
【００８３】
また情報処理装置１は、地図画面２０に表示させるモチカーソルＭＣを半透明でなるようにした。これにより情報処理装置１は、モチカーソルＭＣの下にある地図情報が見えなくなることを防ぐことができる。
【００８４】
以上の構成によれば情報処理装置１は、ユーザ操作がモチカーソル表示領域ＭＲ内を起点とする操作であると判別した際は、ユーザ操作に応じて、地図情報の詳細度を変更させつつ地図情報をスクロールさせるようにした。一方情報処理装置１は、ユーザ操作がモチカーソル表示領域ＭＲ外を起点とする操作であると判別した際は、ユーザ操作に応じて、地図情報の詳細度の変更又は地図情報のスクロールのいずれかを行うようにした。
【００８５】
これにより情報処理装置１は、操作の起点を変えるという簡易な操作をユーザに行わせるだけで、地図情報の詳細度の変更と地図情報のスクロールとを同時に行うか又は別々に行うかを選択して行うことができ、かくして一段と操作性を向上させることができる。
【００８６】
［１−５．第１の実施の形態における機能構成］
ここで、上述した地図情報変更操作に主眼を置いた情報処理装置１の機能構成について説明する。図７に示すように、情報処理装置１は、操作認識部２１、判別部２２及び制御部２３として機能する。
【００８７】
情報処理装置１では、上述したタッチパネル３Ｂ及びＣＰＵ１１が操作認識部２１として機能する。操作認識部２１は、表示部の表示画面に対するユーザ操作を認識する。
【００８８】
また情報処理装置１では、上述したＣＰＵ１１が判別部２２として機能する。判別部２２は、操作認識部２１により認識されたユーザ操作が表示画面の所定領域内（この実施の形態ではモチカーソル表示領域ＭＲ内）を起点とする操作であるかどうかを判別する。
【００８９】
さらに情報処理装置１では、上述したＣＰＵ１１が制御部２３として機能する。制御部２３は、判別部２２によりユーザ操作が所定領域内を起点とする操作であると判別された際は、当該ユーザ操作に応じて、表示画面に表示させている情報（この実施の形態では地図情報）の詳細度を変更させつつ当該情報をスクロールさせる。一方、制御部２３は、判別部２２によりユーザ操作が所定領域内を起点とする操作ではないと判別された際は、当該ユーザ操作に応じて、当該情報のスクロール又は当該情報の詳細度の変更のいずれかを行う。
【００９０】
このような機能構成により、情報処理装置１は、上述した地図情報変更操作を機能的に実現し得るようになされている。
【００９１】
＜２．第２の実施の形態＞
次に第２の実施の形態について説明する。この第２の実施の形態では、上述した第１の実施の形態とは異なり、ユーザがタッチパネル３Ｂを操作しようとするときのみ地図画面２０にモチカーソルＭＣを表示させるようになされている。
【００９２】
実際上、地図画面２０上に常にモチカーソルＭＣが表示されていると、モチカーソルＭＣと重なる範囲の地図情報が見づらくなってしまう。従って、この第２の実施の形態のように、ユーザがタッチパネル３Ｂを操作しようとするときのみモチカーソルＭＣを表示するようにすれば、モチカーソルＭＣのために地図情報を見づらくすることなく閲覧させることができる。
【００９３】
なお、この第２の実施の形態における情報処理装置５０（図１）では、上述した第１の実施の形態における情報処理装置１の表示部３に代えて、表示部５３が設けられている。表示部５３は、ＬＣＤ５３Ａと光センサ方式のタッチパネル５３Ｂとから構成されている。
【００９４】
また、第２の実施の形態における地図情報変更操作は、第１の実施の形態と同様のため、説明を省略する。従ってここでは、地図画面２０にモチカーソルＭＣを表示させる動作処理手順（これを、モチカーソル表示処理手順とも呼ぶ）を主に説明する。
【００９５】
［２−１．モチカーソル表示処理手順］
図８に示すフローチャートを用いて、モチカーソル表示処理手順ＲＴ２について具体的に説明する。ちなみに、このモチカーソル表示処理手順ＲＴ２は、情報処理装置５０のＣＰＵ１１が、不揮発性メモリ１２にインストールされたプログラムに従って実行するものである。
【００９６】
ＣＰＵ１１は、例えば地図画面２０をＬＣＤ５３Ａに表示させると、モチカーソル表示処理手順ＲＴ２をステップＳＰ１００から開始して、次のステップＳＰ１０１に移る。
【００９７】
ステップＳＰ１０１においてＣＰＵ１１は、タッチパネル５３Ｂに入力があるかどうかを判断する。
【００９８】
具体的にタッチパネル５３Ｂは、格子状に配置された複数の光センサを有している。これらの光センサは、所定間隔ごとに外部からタッチパネル５３Ｂに入射する光を受光して、その光強度を検出する。
【００９９】
タッチパネル５３Ｂをユーザが操作しようとすると、タッチパネル５３Ｂの操作面にユーザの指の影ができ、タッチパネル５３Ｂで検出される光強度が下がる。このことをふまえタッチパネル５３Ｂは、光センサにより検出される光強度が変化した場合、タッチパネル５３Ｂに入力があると判別する。そしてタッチパネル５３Ｂは、タッチパネル５３Ｂの操作面における当該光センサの位置を入力位置として、当該光強度の変化量と当該入力位置とをＣＰＵ１１に送出する。
【０１００】
そしてＣＰＵ１１は、タッチパネル５３Ｂから光強度の変化量と入力位置とが送出されると、タッチパネル５３Ｂに入力があると判断するようになされている。
【０１０１】
このステップＳＰ１０１においてタッチパネル５３Ｂに入力がないことより否定結果が得られると、このときＣＰＵ１１は、ステップＳＰ１０１へ戻り、タッチパネル５３Ｂに入力があるまで待ち受ける。
【０１０２】
一方ステップＳＰ１０１においてタッチパネル５３Ｂに入力があることより肯定結果が得られると、このときＣＰＵ１１は、ステップＳＰ１０２に移る。
【０１０３】
ステップＳＰ１０２においてＣＰＵ１１は、ユーザの指がタッチパネル５３Ｂの操作面に近接しているかどうかを判断する。具体的にタッチパネル５３Ｂの操作面にユーザの指が近いほど、操作面にできるユーザの指の影が濃くなり、タッチパネル５３Ｂで検出される光強度がさらに下がる。このことをふまえ、ＣＰＵ１１は、タッチパネル５３Ｂにより送出された光強度の変化量が所定値以上であった場合、ユーザの指がタッチパネル５３Ｂの操作面に近接していると判断する。
【０１０４】
このステップＳＰ１０２において否定結果が得られると、このことは、ユーザがタッチパネル５３Ｂを操作しようとしていないことを意味する。このときＣＰＵ１１は、ステップＳＰ１０１へ戻り、タッチパネル５３Ｂに入力があるまで待ち受ける。
【０１０５】
一方ステップＳＰ１０２に肯定結果が得られると、このことはユーザがタッチパネル５３Ｂを操作しようとしていることを意味する。このときＣＰＵ１１は、ステップＳＰ１０３に移る。
【０１０６】
ステップＳＰ１０３においてＣＰＵ１１は、入力位置が表示画面の中央付近であるかどうかを判断する。具体的にＣＰＵ１１は、タッチパネル５３Ｂから送出された入力位置に基づいて、当該入力位置をＬＣＤ３Ａに表示する表示画面内の座標として検出する。そしてＣＰＵ１１は、その検出した座標が、表示画面の中央を中心とする所定領域（例えばモチカーソル表示領域ＭＲの数倍程度）内にあるかどうかを判別する。そしてＣＰＵ１１は、その検出した座標が所定領域内にあることを判別すると、入力位置が表示画面の中央付近であると判断する。
【０１０７】
このステップＳＰ１０３において否定結果が得られると、このことは、ユーザの指がモチカーソル表示領域ＭＲから遠いため、ユーザがモチカーソルＭＣを操作しようとしていないことを意味する。このときＣＰＵ１１は、ステップＳＰ１０１へ戻り、タッチパネル３Ｂに入力があるまで待ち受ける。
【０１０８】
一方ステップＳＰ１０３において肯定結果が得られると、このことは、ユーザの指がモチカーソル表示領域ＭＲに近いため、ユーザがモチカーソルＭＣを操作しようとしていることを意味する。このときＣＰＵ１１は、ステップＳＰ１０４に移る。
【０１０９】
ステップＳＰ１０４においてＣＰＵ１１は、地図画面２０のモチカーソル表示領域ＭＲにモチカーソルＭＣを表示し、ステップＳＰ１０５に移ってモチカーソル表示処理手順ＲＴ２を終了する。
【０１１０】
このようなモチカーソル表示処理手順ＲＴ２に従って、ＣＰＵ１１はモチカーソルＭＣを表示するようになされている。
【０１１１】
このように、第２の実施の形態の情報処理装置５０は、ユーザの指がタッチパネル５３Ｂの操作面に近接したと判別されると地図画面２０にモチカーソルＭＣを表示させ、これ以外のときはモチカーソルＭＣを表示させないようにした。
【０１１２】
これにより情報処理装置５０は、ユーザがモチカーソルＭＣを操作しようとするとき以外は、ユーザにモチカーソルＭＣのために地図情報を見づらくすることなく閲覧させることができる。
【０１１３】
［２−２．第２の実施の形態における機能構成］
ここで、上述したモチカーソルＭＣを表示させる処理に主眼を置いた情報処理装置５０の機能構成について説明する。情報処理装置５０は、情報処理装置１（図７）と同様に、操作認識部２１、判別部２２及び制御部２３として機能する。
【０１１４】
情報処理装置５０では、上述したタッチパネル５３Ｂ及びＣＰＵ１１が操作認識部２１として機能する。操作認識部２１は、表示部の表示画面に対応する操作面（この実施の形態では、タッチパネル５３Ｂの操作面）に対する指示物（この実施の形態では、ユーザの指）の近接及び接触を検出し、検出の結果に基づいて、ユーザ操作を認識する。
【０１１５】
また情報処理装置５０では、上述したＣＰＵ１１が制御部２３として機能する。制御部２３は、操作認識部２１により指示物の近接が検出されると、表示画面に所定領域を示す枠（この実施の形態では、モチカーソルＭＣ）を表示させる。
【０１１６】
このような機能構成により、情報処理装置５０は、上述したモチカーソルＭＣを表示させる処理を機能的に実現し得るようになされている。
【０１１７】
＜３．第３の実施の形態＞
次に第３の実施の形態について説明する。この第３の実施の形態では、上述した第１の実施の形態とは異なり、ユーザが再生したい楽曲を選択するための楽曲選択画面３０（図１２）を表示させるようになされている。
【０１１８】
尚、第３の実施の形態における情報処理装置１００には、図１と対応する部分に同一符号を付した図９（Ａ）及び（Ｂ）に示すように、上述した第１の実施の形態における情報処理装置１の構成に加えてヘッドホン１０４及び音声出力部１１４が設けられている。
【０１１９】
ＣＰＵ１１は、ユーザ操作により楽曲を再生するよう指示されると、不揮発性メモリ１２から楽曲の音声データを読み出す。そしてＣＰＵ１１は、当該音声データに対して復号処理及び増幅処理などの所定の再生処理を施すことにより音声信号を得て、この音声信号を音声出力部１１４に送出する。この結果、音声出力部１１４から、ヘッドホン１０４を介してこの音声信号に基づく楽曲の音声が出力されるようになされている。
【０１２０】
［３−１．楽曲関連情報変更操作］
次に、情報処理装置１００における楽曲関連情報変更操作について、詳しく説明する。ここで、この情報処理装置１００では、図１０に示すように、複数の楽曲データＭＤ（ＭＤ１、ＭＤ２、…、ＭＤｎ）が不揮発性メモリ１２に記録されている。因みに、楽曲データＭＤには楽曲の音声データだけでなく、その楽曲に関連する情報である楽曲関連情報（タイトル名、アーティスト名、アルバム名、ジャンルなど）のデータが含まれる。
【０１２１】
楽曲データＭＤのそれぞれは、楽曲関連情報に基づいて、アルバムごとのフォルダ（これをアルバムフォルダとも呼ぶ）ＦＢ（ＦＢ１、ＦＢ２、…、ＦＢｎ）に振り分けられて格納されている。また、アルバムフォルダＦＢは、楽曲関連情報に基づいて、アーティストごとのフォルダ（これをアーティストフォルダとも呼ぶ）ＦＡ（ＦＡ１、ＦＡ２、…、ＦＡｎ）に振り分けられて格納されている。さらに、アーティストフォルダＦＡは、楽曲関連情報に基づいて、ジャンル（例えば、ロック、クラシックなど）ごとのフォルダ（これをジャンルフォルダとも呼ぶ）ＦＪ（ＦＪ１、ＦＪ２、…、ＦＪｎ）に振り分けられて格納されている。そしてジャンルフォルダＦＪは、音楽フォルダＦＭに格納されている。
【０１２２】
アルバムフォルダＦＢには、当該アルバムフォルダＦＢに対応するアルバムのジャケット写真画像ＰＢがそれぞれ格納されている。またアーティストフォルダＦＡには、当該アーティストフォルダＦＡに対応するアーティストの画像（これをアーティスト画像とも呼ぶ）ＰＡがそれぞれ格納されている。さらに、ジャンルフォルダＦＪには、当該ジャンルフォルダＦＪに対応するジャンルを示すアイコン画像（これをジャンル画像とも呼ぶ）ＰＪがそれぞれ格納されている。尚、ジャケット写真画像ＰＢ、アーティスト画像ＰＡ、ジャンル画像ＰＪも楽曲関連情報である。
【０１２３】
因みにここでは、ジャンルフォルダＦＪが格納されている階層をジャンル層ＬＪ、アーティストフォルダＦＡが格納されている階層をアーティスト層ＬＡとも呼ぶ。また、アルバムフォルダＦＢが格納されている階層をアルバム層ＬＢ、楽曲データが格納されている階層を楽曲層ＬＴとも呼ぶ。
【０１２４】
ＣＰＵ１１は、ユーザ操作により楽曲を再生するアプリケーションを起動するよう指示されると、不揮発性メモリ１２に記録されている複数の楽曲の楽曲関連情報を読み出す。そしてＣＰＵ１１は、当該楽曲関連情報に基づいて、楽曲を選択するための楽曲選択画面３０（図１２）をＬＣＤ３Ａに表示させる。尚、楽曲選択画面３０について詳しくは後述する。
【０１２５】
ＣＰＵ１１は、タッチパネル３Ｂに対するユーザ操作に応じて、楽曲選択画面３０に表示させる楽曲関連情報の詳細度を変更させたり、楽曲関連情報をスクロールさせたりするようになされている。
【０１２６】
ここで、楽曲選択画面３０に表示させる楽曲関連情報の詳細度の変更について、図１１を用いて説明する。ＣＰＵ１１は、例えば音楽フォルダＦＭに格納されている複数のジャンルフォルダＦＪのそれぞれからジャンル画像ＰＪを読み出す。そしてＣＰＵ１１は、楽曲選択画面３０に、ジャンル画像ＰＪを格子状に並べて配置して表示させる。つまりＣＰＵ１１は、楽曲選択画面３０に、ジャンル層ＬＪの楽曲関連情報を表示させる。
【０１２７】
このときＣＰＵ１１は、ユーザ操作により楽曲関連情報の詳細度を上げるよう指示されると、任意のジャンルフォルダＦＪに格納されているアーティストフォルダＦＡからアーティスト画像ＰＡを読み出す。そしてＣＰＵ１１は、楽曲選択画面３０に、アーティスト画像ＰＡを格子状に並べて配置して表示させる。
【０１２８】
このようにＣＰＵ１１は、楽曲選択画面３０に表示させている楽曲関連情報の階層をジャンル層ＬＪからアーティスト層ＬＡに切り替える。
【０１２９】
さらにこのときＣＰＵ１１は、ユーザ操作により楽曲関連情報の詳細度を上げるよう指示されると、任意のアーティストフォルダＦＡに格納されているアルバムフォルダＦＢからジャケット写真画像ＰＢを読み出す。そしてＣＰＵ１１は、楽曲選択画面３０に、ジャケット写真画像ＰＢを格子状に並べて配置して表示させる。
【０１３０】
このようにＣＰＵ１１は、楽曲選択画面３０に表示させている楽曲関連情報の階層をアーティスト層ＬＡからアルバム層ＬＢに切り替える。
【０１３１】
さらにこのときＣＰＵ１１は、ユーザ操作により楽曲関連情報の詳細度を上げるよう指示されると、任意のアルバムフォルダＦＢに格納されている楽曲データＭＤからタイトル名ＴＮを読み出し、楽曲選択画面３０の上下にリスト表示させる。
【０１３２】
このようにＣＰＵ１１は、楽曲選択画面３０に表示させている楽曲関連情報の階層をアルバム層ＬＢから楽曲層ＬＴに切り替える。
【０１３３】
以上のようにＣＰＵ１１は、楽曲選択画面３０においてユーザ操作により楽曲関連情報の詳細度を上げるよう指示されると、楽曲関連情報の階層を現在よりも下位の階層へ切り替えるようになされている。
【０１３４】
一方ＣＰＵ１１は、楽曲選択画面３０においてユーザ操作により楽曲関連情報の詳細度を下げるよう指示されると、楽曲関連情報の階層を現在よりも上位の階層へ切り替えるようになされている。
【０１３５】
次に、楽曲選択画面３０において、楽曲関連情報の詳細度の変更やスクロールに対応するユーザ操作について具体的に説明する。
【０１３６】
ＣＰＵ１１は、ユーザ操作により楽曲を再生するアプリケーションを起動するよう指示されると、図１２に示すように、楽曲選択画面３０をＬＣＤ３Ａに表示させる。
【０１３７】
具体的に楽曲選択画面３０は、楽曲関連情報を表示させる楽曲関連情報表示領域３１とモチカーソルＭＣを表示させるモチカーソル表示領域ＭＲとから構成されている。
【０１３８】
例えばＣＰＵ１１は、楽曲関連情報表示領域３１に、複数のアルバムフォルダＦＢから読み出したジャケット写真画像ＰＢ（ＰＢ１、ＰＢ２、…、ＰＢｎ）を格子状に並べて配置して表示させる。つまりＣＰＵ１１は、楽曲選択画面３０に、アルバム層ＬＢの楽曲関連情報を表示させる。
【０１３９】
ここで、ユーザによりモチカーソル表示領域ＭＲ外の位置を起点とするドラッグ操作、すなわち通常ドラッグ操作が行われたとする。このときＣＰＵ１１は、楽曲関連情報をスクロールするよう指示されたことを認識し、通常ドラッグ操作に応じて、楽曲選択画面３０の楽曲関連情報（ここではジャケット写真画像ＰＢ）をスクロールさせる。
【０１４０】
また、ユーザによりモチカーソル表示領域ＭＲ外の位置にあるジャケット写真画像ＰＢが長押し操作されたとする。このときＣＰＵ１１は、楽曲関連情報の詳細度を上げるよう指示されたことを認識し、長押し操作に応じて楽曲関連情報を現在の階層よりも下位の階層に切り替える。
【０１４１】
ここではＣＰＵ１１は、楽曲関連情報をアルバム層ＬＢから楽曲層ＬＴに切り替え、楽曲関連情報表示領域３１に当該ジャケット写真画像ＰＢに対応するアルバム内の楽曲のタイトル名ＴＮを上下にリスト表示させる。
【０１４２】
一方、ユーザによりモチカーソル表示領域ＭＲ外の位置をタップ操作されたとする。このときＣＰＵ１１は、楽曲関連情報の詳細度を下げるよう指示されたことを認識し、タップ操作に応じて楽曲関連情報を現在の階層よりも上位の階層に切り替える。
【０１４３】
ここではＣＰＵ１１は、楽曲関連情報をアルバム層ＬＢからアーティスト層ＬＡに切り替え、複数のアーティストフォルダＦＡからアーティスト画像ＰＡを読み出し、楽曲関連情報表示領域３１に格子状に並べて配置して表示させる。
【０１４４】
また、ユーザによりモチカーソル表示領域ＭＲ内の位置を起点とするドラッグ操作、すなわちモチドラッグ操作が行われたとする。このときＣＰＵ１１は、楽曲関連情報の詳細度を変更しつつ楽曲関連情報のスクロールを行うよう指示されたことを認識し、モチドラッグ操作に応じて、楽曲関連情報の階層を現在よりも上位又は下位の階層へ切り替えると共に楽曲関連情報をスクロールさせる。
【０１４５】
具体的にＣＰＵ１１は、モチドラッグ操作においてユーザがモチカーソル表示領域ＭＲから指を遠ざけるほど、つまり画面中央ＭＰからタッチ位置ＴＰまでの距離が大きくなるほど、楽曲関連情報の詳細度を下げる。すなわちＣＰＵ１１は、モチドラッグ操作において画面中央ＭＰからタッチ位置ＴＰまでの距離が大きくなるにつれ、楽曲関連情報の階層を、楽曲層ＬＴ、アルバム層ＬＢ、アーティスト層ＬＡ、ジャンル層ＬＪの順に切り替える。これと共にＣＰＵ１１は、画面中央ＭＰに対するタッチ位置ＴＰの方向及びタッチ位置ＴＰの移動速度に応じて、そのとき表示させている階層の楽曲関連情報をスクロールさせる。
【０１４６】
一方ＣＰＵ１１は、モチドラッグ操作においてユーザがモチカーソル表示領域ＭＲに指を近づけるほど、つまり画面中央ＭＰからタッチ位置ＴＰまでの距離が小さくなるほど、楽曲関連情報の詳細度を上げる。すなわちＣＰＵ１１は、モチドラッグ操作において画面中央ＭＰからタッチ位置ＴＰまでの距離が小さくなるにつれ、楽曲関連情報の階層を、ジャンル層ＬＪ、アーティスト層ＬＡ、アルバム層ＬＢ、楽曲層ＬＴの順に切り替える。これと共にＣＰＵ１１は、画面中央ＭＰに対するタッチ位置ＴＰの方向及びタッチ位置ＴＰの移動速度に応じて、そのとき表示させている階層の楽曲関連情報をスクロールさせる。
【０１４７】
ここでユーザによるモチドラッグ操作において、タッチ位置ＴＰが画面中央ＭＰから離れた後、再び画面中央ＭＰに近づいて、楽曲層ＬＴの楽曲関連情報が楽曲選択画面３０に表示されているとする。その後モチドラッグ操作において、タッチ位置ＴＰがさらに画面中央ＭＰに近づいてモチカーソル表示領域ＭＲ内に入ったとする。
【０１４８】
このときＣＰＵ１１は、楽曲選択画面３０の中央に表示されているタイトル名ＴＮに対応する楽曲が選択されたことを認識し、当該楽曲を再生する。この結果、音声出力部１１４及びヘッドホン１０４を介して当該楽曲の音声が出力されるようになされている。
【０１４９】
このようにＣＰＵ１１は、ユーザにモチドラッグ操作において楽曲関連情報の詳細度を高める操作を行わせた結果、最終的には楽曲の再生を最も詳細度の高い状態とみなして行うようになされている。これにより情報処理装置１は、ユーザにモチドラッグ操作を行わせるだけで、楽曲関連情報の詳細度の変更だけでなく楽曲を選択して再生させることもできる。
【０１５０】
［３−２．楽曲関連情報変更操作処理手順］
次に上述した情報処理装置１００における楽曲関連情報変更操作での動作処理手順（これを、楽曲関連情報変更操作処理手順とも呼ぶ）ＲＴ３を、図１３に示すフローチャートを用いて詳しく説明する。ちなみにこの楽曲関連情報変更操作処理手順ＲＴ３は、ＣＰＵ１１が不揮発性メモリ１２にインストールされたプログラムに従って実行するものである。
【０１５１】
ＣＰＵ１１は、楽曲選択画面３０において、タッチパネル３Ｂにユーザの指がタッチされユーザ操作が開始されたことを認識すると、楽曲関連情報変更操作処理手順ＲＴ３をステップＳＰ２００から開始して、次のステップＳＰ２０１に移る。
【０１５２】
ステップＳＰ２０１においてＣＰＵ１１は、ユーザ操作の起点がモチカーソル表示領域ＭＲ内であるかどうかを判断する。このステップＳＰ２０１において肯定結果が得られると、このことはユーザによりモチドラッグ操作が開始されたことを意味し、このときＣＰＵ１１は、ステップＳＰ２０２に移る。
【０１５３】
ステップＳＰ２０２においてＣＰＵ１１は、楽曲選択画面３０に表示させている楽曲関連情報を現在よりも上位又は下位の階層へ切り替えると共に楽曲関連情報をスクロールさせ、ステップＳＰ２０８に移って楽曲関連情報変更操作処理手順ＲＴ３を終了する。
【０１５４】
一方、ユーザ操作の起点がモチカーソル表示領域ＭＲ外であることよりステップＳＰ２０１において否定結果が得られると、このときＣＰＵ１１は、ステップＳＰ２０３に移る。
【０１５５】
ステップＳＰ２０３においてＣＰＵ１１は、ユーザによりドラッグ操作が行われたかどうかを判断する。このステップＳＰ２０３において肯定結果が得られると、このことはユーザにより通常ドラッグ操作が行われたことを意味し、このときＣＰＵ１１は、ステップＳＰ２０４に移る。
【０１５６】
ステップＳＰ２０４においてＣＰＵ１１は、楽曲選択画面３０に表示させている楽曲関連情報のスクロールのみを行い、ステップＳＰ２０８に移って楽曲関連情報変更操作処理手順ＲＴ３を終了する。
【０１５７】
一方、ユーザによりドラッグ操作が行われていないことより、ステップＳＰ２０３において否定結果が得られると、このときＣＰＵ１１はステップＳＰ２０５に移る。
【０１５８】
ステップＳＰ２０５においてＣＰＵ１１は、長押し操作が行われたかどうかを判断する。このステップＳＰ２０５において肯定結果が得られると、このことはユーザによりモチカーソル表示領域ＭＲ外に対する長押し操作が行われたことを意味し、このときＣＰＵ１１はステップＳＰ２０６に移る。
【０１５９】
ステップＳＰ２０６においてＣＰＵ１１は、楽曲選択画面３０に表示させている楽曲関連情報を現在よりも下位の階層に切り替え、ステップＳＰ２０８に移って楽曲関連情報変更操作処理手順ＲＴ３を終了する。
【０１６０】
一方、ステップＳＰ２０５において否定結果が得られると、このことはユーザによりモチカーソル表示領域ＭＲ外に対するタップ操作が行われたことを意味し、このときＣＰＵ１１はステップＳＰ２０７に移る。
【０１６１】
ステップＳＰ２０７においてＣＰＵ１１は、楽曲選択画面３０に表示させている楽曲関連情報を現在よりも上位の階層に切り替え、ステップＳＰ２０８に移って楽曲関連情報変更操作処理手順ＲＴ３を終了する。
【０１６２】
このような楽曲関連情報変更操作処理手順ＲＴ３に従って、ＣＰＵ１１は、ユーザ操作を認識し、当該操作に応じて、楽曲選択画面３０に表示させている楽曲関連情報のスクロールや階層の切り替えを行うようになされている。
【０１６３】
［３−３．動作及び効果］
以上の構成において情報処理装置１００には、楽曲関連情報がフォルダの階層ごとに詳細度が異なるように記録されている。
【０１６４】
情報処理装置１００は、タッチパネル３Ｂを介してユーザ操作を認識すると、当該ユーザ操作がモチカーソル表示領域ＭＲ内を起点とする操作であるかどうかを判別する。
【０１６５】
そして情報処理装置１００は、当該ユーザ操作がモチカーソル表示領域ＭＲ内を起点とする操作であると判別した際は、当該ユーザ操作に応じて、楽曲関連情報の階層を現在よりも上位又は下位の階層へ切り替えると共に楽曲関連情報をスクロールさせる。
【０１６６】
一方情報処理装置１００は、当該ユーザ操作がモチカーソル表示領域ＭＲ外を起点とするドラッグ操作であると判別した際は、当該ユーザ操作に応じて、楽曲関連情報のスクロールのみを行う。
【０１６７】
また情報処理装置１００は、ユーザ操作がモチカーソル表示領域ＭＲ外の位置に対する長押し操作又はタップ操作であると判別した際は、当該ユーザ操作に応じて、現在よりも上位又は下位の階層の楽曲関連情報への切り替えのみを行う。
【０１６８】
これにより情報処理装置１００は、操作の起点を変えるという簡易な操作をユーザに行わせるだけで、現在よりも上位又は下位の階層の楽曲関連情報への切り替えと楽曲関連情報のスクロールとを同時に行うか又は別々に行うかを選択して行うことができる。
【０１６９】
この他第３の実施の形態における情報処理装置１００は、第１の実施の形態における情報処理装置１とほぼ同様の作用効果を奏しうる。
【０１７０】
以上の構成によれば情報処理装置１００は、ユーザ操作がモチカーソル表示領域ＭＲ内を起点とする操作であると判別した際は、ユーザ操作に応じて、楽曲関連情報の詳細度を変更させつつ楽曲関連情報をスクロールさせるようにした。一方情報処理装置１は、ユーザ操作がモチカーソル表示領域ＭＲ外を起点とする操作であると判別した際は、ユーザ操作に応じて、楽曲関連情報の詳細度の変更又は楽曲関連情報のスクロールのいずれかを行うようにした。
【０１７１】
これにより情報処理装置１００は、操作の起点を変えるという簡易な操作をユーザに行わせるだけで、楽曲関連情報の詳細度の変更と楽曲関連情報のスクロールとを同時に行うか又は別々に行うかを選択して行うことができる。かくして情報処理装置１００は、一段と操作性を向上させることができる。
【０１７２】
［３−４．第３の実施の形態における機能構成］
ここで、上述した楽曲関連情報変更操作に主眼を置いた情報処理装置１００の機能構成について説明する。情報処理装置１００は、情報処理装置１（図７）と同様に、操作認識部２１、判別部２２及び制御部２３として機能する。
【０１７３】
情報処理装置１００では、上述したタッチパネル３Ｂ及びＣＰＵ１１が操作認識部２１として機能する。操作認識部２１は、表示部の表示画面に対するユーザ操作を認識する。
【０１７４】
また情報処理装置１００では、上述したＣＰＵ１１が判別部２２として機能する。判別部２２は、操作認識部２１により認識されたユーザ操作が表示画面の所定領域内（この実施の形態ではモチカーソル表示領域ＭＲ内）を起点とする操作であるかどうかを判別する。
【０１７５】
さらに情報処理装置１００では、上述したＣＰＵ１１が制御部２３として機能する。制御部２３は、判別部２２によりユーザ操作が所定領域内を起点とする操作であると判別された際は、当該ユーザ操作に応じて、表示画面に表示させている情報（この実施の形態では楽曲関連情報）の詳細度を変更しつつ当該情報をスクロールさせる。一方、制御部２３は、判別部２２によりユーザ操作が所定領域内を起点とする操作ではないと判別された際は、当該ユーザ操作に応じて、当該情報のスクロール又は当該情報の詳細度の変更のいずれかを行う。
【０１７６】
このような機能構成により、情報処理装置１００は、上述した楽曲関連情報変更操作を機能的に実現し得るようになされている。
【０１７７】
＜４．他の実施の形態＞
［４−１．他の実施の形態１］
なお上述した第１の実施の形態では、ＣＰＵ１１は、地図画面２０に地図情報を表示させ、ユーザ操作に応じて地図情報のスクロールや詳細度の変更を行うようにした。
【０１７８】
これに限らずＣＰＵ１１は、例えばデジタルスチルカメラなどで撮影された撮影画像を表示させ、ユーザ操作に応じて撮影画像のスクロールや詳細度の変更を行うようにしてもよい。
【０１７９】
この場合、不揮発性メモリ１２には、予め複数の撮影画像に対応する複数の撮影画像データが記録されているとする。ＣＰＵ１１は、ユーザ操作により撮影画像を表示するアプリケーションを起動するよう指示されると、不揮発性メモリ１２から複数の撮影画像データを読み出す。そしてＣＰＵ１１は、図１４に示すように、当該複数の撮影画像データに基づいて、複数の撮影画像ＰＤ（ＰＤ１、ＰＤ２、…、ＰＤｎ）を縦横に隙間なく並べて配置した表示画像ＰＥを生成する。
【０１８０】
そしてＣＰＵ１１は、表示画像ＰＥに基づいて、画像閲覧画面４０をＬＣＤ３Ａに表示させる。具体的に画像閲覧画面４０は、表示画像ＰＥを表示させる撮影画像表示領域４１とモチカーソルＭＣを表示させるモチカーソル表示領域ＭＲとから構成されている。
【０１８１】
ここで、ユーザにより通常ドラッグ操作が行われたとする。このときＣＰＵ１１は、表示画像ＰＥをスクロールするよう指示されたことを認識し、通常ドラッグ操作に応じて、表示画像ＰＥをスクロールさせる。
【０１８２】
また、ユーザによりモチカーソル表示領域ＭＲ外の位置が長押し操作されたとする。このときＣＰＵ１１は、表示画像ＰＥの詳細度を上げるよう指示されたことを認識し、長押し操作された位置を中心に表示画像ＰＥの拡大率を所定量上げる。
【０１８３】
このようにＣＰＵ１１は表示画像ＰＥの拡大率を上げることにより、表示画像ＰＥ内の撮影画像ＰＤを拡大した画像を画像閲覧画面４０に表示させ、ユーザに拡大した撮影画像ＰＤを閲覧させることができる。
【０１８４】
一方、ユーザによりモチカーソル表示領域ＭＲ外の位置をタップ操作されたとする。このときＣＰＵ１１は、表示画像ＰＥの詳細度を下げるよう指示されたことを認識し、タップ操作された位置を中心に表示画像ＰＥの拡大率を所定量下げる。
【０１８５】
このようにＣＰＵ１１は、表示画像ＰＥの拡大率を下げることにより、表示画像ＰＥ内の複数の撮影画像ＰＤを画像閲覧画面４０に表示させ、ユーザに複数の撮影画像ＰＤを閲覧させることができる。
【０１８６】
また、ユーザによりモチドラッグ操作が行われたとする。このときＣＰＵ１１は、表示画像ＰＥの詳細度を変更しつつ表示画像ＰＥをスクロールさせるよう指示されたことを認識し、モチドラッグ操作に応じて、表示画像ＰＥの拡大率を変更させつつ表示画像ＰＥをスクロールさせる。
【０１８７】
このように情報処理装置１は、ユーザ操作がモチカーソル表示領域ＭＲ内を起点とする操作であると判別した際は、ユーザ操作に応じて、画像の拡大率を変更させつつ画像をスクロールする。一方情報処理装置１は、ユーザ操作がモチカーソル表示領域ＭＲ外を起点とする操作であると判別した際は、ユーザ操作に応じて、画像の拡大率の変更又は画像のスクロールのいずれかを行う。
【０１８８】
これにより情報処理装置１は、操作の起点を変えるという簡易な操作をユーザに行わせるだけで、画像の拡大率の変更と画像のスクロールとを同時に行うか又は別々に行うかを選択して行うことができる。
【０１８９】
またこれに限らず、情報処理装置１は、例えばウェブページや新聞などのドキュメントの画像など、この他種々の画像を表示画面に表示させ、ユーザ操作に応じて画像のスクロールや詳細度の変更を行うようにしてもよい。
【０１９０】
［４−２．他の実施の形態２］
また上述した第１の実施の形態では、ユーザ操作により地図情報の詳細度を変更するよう指示されると、例えば航空写真画像ＰＳを現在よりも詳細度の高い詳細地図画像ＰＣ又は詳細度の低い地図画像ＰＭへ切り替えるようにした。
【０１９１】
これに限らずＣＰＵ１１は、ユーザ操作に応じてこの他種々の画像を現在よりも詳細度の高い画像又は詳細度の低い画像へ切り替えるようにしてもよい。
【０１９２】
［４−３．他の実施の形態３］
さらに上述した第２の実施の形態では、ＣＰＵ１１は、ユーザの指がタッチパネル５３Ｂの操作面の中央付近に近接したと判別されると地図画面２０にモチカーソルＭＣを表示させるようにした。
【０１９３】
これに限らずＣＰＵ１１は、ユーザの指がタッチパネル５３Ｂの操作面に近接したと判別されれば、操作面の中央付近でなくても、地図画面２０にモチカーソルＭＣを表示させるようにしてもよい。
【０１９４】
［４−４．他の実施の形態４］
さらに上述した第２の実施の形態では、光センサ方式のタッチパネル５３Ｂを用いる場合について述べたが、本発明はこれに限らず、指示物の近接を検出できるタッチパネルであればこの他種々の方式のタッチパネルを用いるようにしてもよい。
【０１９５】
さらに上述した第２の実施の形態では、タッチパネル５３Ｂに対する操作を行う指示物としてユーザの指を用いた場合について述べた。本発明はこれに限らず、タッチパネルで近接を検出できるような指示物であれば、この他鉛筆、棒、専用のタッチペンなど、この他種々の指示物を用いてもよい。
【０１９６】
［４−５．他の実施の形態５］
さらに上述した第３の実施の形態では、ＣＰＵ１１は、楽曲選択画面３０に楽曲関連情報を表示させ、ユーザ操作に応じて楽曲関連情報のスクロールや詳細度の変更を行うようにした。
【０１９７】
これに限らずＣＰＵ１１は、ユーザ操作に応じて、例えば静止画や動画などのコンテンに関連するコンテンツ関連情報を表示画面に表示させ、コンテンツ関連情報のスクロールや詳細度の変更を行うようにしてもよい。
【０１９８】
この場合、コンテンツ関連情報は、階層的に詳細度が異なるように管理されているものであればよく、例えばデータベースで管理されているものであってもよい。
【０１９９】
［４−６．他の実施の形態６］
さらに上述した第１乃至第３の実施の形態では、一例として、画面中央ＭＰを中心とし人間の指の太さと同じくらいの直径でなる円形状の領域でなるモチカーソル表示領域ＭＲについて述べた。
【０２００】
本発明はこれに限らず、モチカーソル表示領域ＭＲ内の位置を起点とする操作とモチカーソル表示領域ＭＲ外の位置を起点とする操作とをユーザに区別させられるのであれば、モチカーソル表示領域ＭＲの形状、大きさ、位置等を第１乃至第３の実施の形態とは異なるものにしてもよい。例えば、楽曲選択画面３０のようにタイトル名ＴＮを上下にリスト表示させユーザに上下のドラッグ操作を行わせる場合は、モチカーソル表示領域ＭＲを画面中央ＭＰよりも左側又は右側に配置するようにしてもよい。
【０２０１】
さらに上述した第１乃至第３の実施の形態では、一例として、円形状でなる半透明のモチカーソルＭＣについて述べた。本発明はこれに限らず、モチカーソル表示領域ＭＲの位置及び範囲を示すのであれば、モチカーソルＭＣの形状、大きさ、色など第１乃至第３の実施の形態とは異なるものにしてもよい。
【０２０２】
［４−７．他の実施の形態７］
さらに上述した第１乃至第３の実施の形態では、地図情報変更操作処理、モチカーソル表示処理及び楽曲関連情報変更操作処理を実行するためのプログラムを不揮発性メモリ１２に記憶しておくようにした。
【０２０３】
これに限らず、これらのプログラムを例えばＣＤ（Compact Disc）などの所定の記録媒体に記録しておき、ＣＰＵ１１がこのプログラムを記録媒体から読み出して実行するようにしてもよい。また、ＣＰＵ１１がこのプログラムをインターネット上の所定のサーバからダウンロードして不揮発性メモリ１２にインストールするようにしてもよい。
【０２０４】
［４−８．他の実施の形態８］
さらに上述した第１乃至第３の実施の形態では、情報処理装置としての情報処理装置１、情報処理装置５０及び情報処理装置１００に、操作認識部２１としてのタッチパネル３Ｂ及びタッチパネル５３Ｂと、操作認識部２１、判別部２２、制御部２３としてのＣＰＵ１１とを設けるようにした。
【０２０５】
これに限らず、同様の機能を有するのであれば、上述した各機能部を、他の種々のハードウェア又はソフトウェアにより構成するようにしてもよい。例えば、操作認識部２１、判別部２２、制御部２３のそれぞれを個別のハードウェアで実現するようにしてもよい。また、操作認識部２１についても、タッチパネル３Ｂに代えて、マウスやリモートコントローラ、ユーザのジェスチャを認識するステレオセンサなどを用いるようにしてもよい。
【０２０６】
また同様の構成を有する情報処理装置であれば、携帯型オーディオプレイヤ、ＰＤＡ(Personal Digital Assistant)、携帯電話機など、この他種々の情報処理装置に本発明を適用するようにしてもよい。
【０２０７】
［４−９．他の実施の形態９］
さらに、本発明は、上述した第１乃至第３の実施の形態とここまで説明した他の実施の形態１乃至８とに限定されるものではない。すなわち本発明は、上述した第１乃至第３の実施の形態とここまで説明した他の実施の形態１乃至８の一部または全部を任意に組み合わせた形態、もしくは一部を抽出した形態も適用範囲とする。例えば、上述した第２の実施の形態と他の実施の形態１とを組み合わせるようにしてもよい。
【産業上の利用可能性】
【０２０８】
本発明の情報処理装置、情報処理方法及び情報処理プログラムは、例えば、携帯型オーディオプレイヤ、ＰＤＡ、携帯電話機等のその他種々の情報処理装置に適用することができる。
【符号の説明】
【０２０９】
１、５０、１００……情報処理装置、３、５３……表示部、３Ａ、５３Ａ……ＬＣＤ、３Ｂ、５３Ｂ……タッチパネル、１１……ＣＰＵ、１２……不揮発性メモリ、２１……操作認識部、２２……判別部、２３……制御部、ＭＣ……モチカーソル、ＭＲ……モチカーソル表示領域。
【図１】
2010266961.tif 000003
【図２】
2010266961.tif 000004
【図３】
2010266961.tif 000005
【図４】
2010266961.tif 000006
【図５】
2010266961.tif 000007
【図６】
2010266961.tif 000008
【図７】
2010266961.tif 000009
【図８】
2010266961.tif 000010
【図９】
2010266961.tif 000011
【図１０】
2010266961.tif 000012
【図１１】
2010266961.tif 000013
【図１２】
2010266961.tif 000014
【図１３】
2010266961.tif 000015
【図１４】
2010266961.tif 000016